(57)【要約】 【課題】身近にあり、親しみ易く、誰でも一度は挑戦し挫折するという、優しい楽器、ギターの入門者が初めに直面する最大の障壁は、意の侭にならない楽器の所在にある。演奏に無意味な、楽器保持負担が、大きい障害となり、両手の演奏を妨害し、疲労困憊し、意欲を失い頓挫する大きい要因を占めている。本件は、手を使わずに、ギターを体側に繋留保持を可能にした、特に初心者や子供に優しい、吊り上げ式クラシックギター保持補助具を提供する。<BR>【解決手段】扇形に成型した透明肉厚塩ビシートに、複数の軟質吸盤を搭載し基盤化して吸引力を強化。基盤をギターの背面に圧着、合体した吸盤頭部の口金を、ネックループタイで牽引、ギターを体側前面に繋留する。楽な姿勢で、両手が演奏に専念でき、疲れず、楽しく習熟し易くなる。軟質素材構成と扇形外縁が、ループとの楽器損傷を防止し、携行が簡便で、着用が目立たない等多くのメリットがある。【選択図】図２
2006308837.tif 000002
【特許請求の範囲】
【請求項１】
クラシックギター演奏時に、楽器の負荷と姿勢保持の役務から両手が解放され、演奏に専念できる楽器保持補助具について、透明の樹脂性軟質の塩ビ肉厚シートを扇形状のベース（説明図１の７．ベースの材料は、プラスチック材、その成型他、皮革、ウッド材等を含む）に裁断して成型、ベース上面の鼎形のポンチ穴に、二個の吊受け口付（後付け）のものと、その他、計三個の円形の透明軟質樹脂性吸着盤を並列配置、その頭部を挿入装着し、一体化して吸引力強化の基盤に組成（説明図１の４，５，６，７）。この本体ベースの吸盤頭部吊口に連結して、吊り上げ機能する為の、別途の、手動解放式留め具付のネックループタイ（説明図１の１、２、３、長さ調整器具付平織り紐。その他、皮、ナイロン、透明塩ビベルト、装身具レース材などを含む）とを以って組み合わせ構成する、吸着合体吸盤吊り上げ繋留式保持を特徴とするギター演奏用保持補助具。
【発明の詳細な説明】
【技術分野】
【０００１】
本発明は、クラシックギター演習時に着用、演奏を司る両手の、楽器の荷重負担と姿勢保持拘束を解放し、手を使わずに、安定した楽器姿勢の確保と保持調整が出来、離着脱と携行が簡易で、使用感の目立たない、装着型吸盤吊上げ式楽器保持補助具に関するものである。
【背景技術】
【０００２】
近代に入って、楽器全般に、エレクトロニクスの影響が始まり、シンセサイザーなどの合成音源時代を迎えて、ギターも電子化して大きく変貌した。そうした激動の流れの中にあっても、変革することなく、美術工芸品の楽器を愛好し、従来の演奏スタイルを守り、アコーステックな弦音の響きに愛着する、いわゆる古典派のクラシックギターの存在がある。然し、長いネックで大きい共鳴胴の、華麗な仕上げの芸術品的楽器を両手で保持しながら、同時にそれぞれ音程を定め、撥弦するに当たって直面する、演奏に絡む克服し難い、物理的課題があった。
【０００３】
即ち、両手で楽器を保持しながら、同時に両手でそれぞれ、フレットの弦を抑え、弦を弾くことの難しさである。同じ撥弦楽器の三味線や、三線（蛇皮線）も同様の課題を抱えているが、殆どの奏者が楽器を、体の前面に、縦位置に構え、左手掌には、親指と人差し指に跨る［指伽半］を着けて、左手の棹を上下する際の、汗による指使いの障害を防いでいる。然し、その様な手立ての、全く無いクラシックギター演奏者は、厳しい修練を積み重ねてこの課題を克服し、ピアノ演奏等には思いも付かない、楽器を保持しながら、音程を作り、音を出す三つの障壁を、乗り越えなければならない。楽器を支えながらの左手の運びは、儘ならない、更に掌の汗が手の動きを妨害する等、ギター演習の最初からの妨げとなる、この異質で無駄な労力の原因の、楽器の不安定、という根源的な欠点の解消が望まれるのである。
【０００４】
クラシックギターのオーソドックスな演奏マナーは、１．必ず椅子に腰掛けて演奏する（立ち姿勢、座位、あぐら、で演奏しない。・難しい）２．演奏のためギターを抱える時、脚を組むか、３．左右どちらかの足を足台に乗せて、ボデイを太腿に乗せて、右腕肘で抱える姿勢にする。等の、美しい古典的スタイルが求められている。然しこの２．の姿勢は、演奏時に確たる楽器保持が難しい上、体勢が苦痛などの難点があり、３．は足台の常時携行が煩わしい。次第に、両股を大きく開き、股間でギターを挟む姿勢や、横抱き前屈みの無粋なスタイルも見られる様になり、ギターの品位や魅力も冷めて、人気が落ち、女性層に特に疎んじられてきた。処が、この技法習得上の課題は通常、入門者の当然の試練とみなし、練習の過程で次第に練磨克服され、上達すると消えてしまう問題、と考えられて来た。然し、この楽器を容易に確保できないことは、目的の演奏とは異質な、習得を妨げる無駄な役務に、労することであり、ギターを学ぶ初心者の入り口の障壁であるので、なんとかうまく解決したい、根源的な欠点であった。
【０００５】
従来の改善策として既にいくつかの、商品開発もあり、また、技術公開の例が挙げられる。タイプ別に分類して（１）ハードタイプの例として、ギターを定位に固定する為の架台を構築し、演奏席に連結する等の据え置き型。（２）ソフトタイプの例として、ギターの躯体下辺外周に滑落防止目的の、粘質ゴム製、或いはラバホームなどの粘着シールを貼り付ける等のスリップ防止型。（３）中間タイプの、アタッチメント仕様の、太股に接地して、保持する腕木をギターのネック下部周辺位置に取り付け固定する等のユニット型。（４）その他、同様の市販商品が、ギターレスト等の品名で提供されている。然し、（１）は完全固定になり物理的に充足される事になるが、これでは和琴の変形になり、ギターの持つ柔らかい雰囲気に馴染まない硬さがある。（２）は若干の効果が期待できる程度で、依然課題は残る。（３）は既にリサイタルで実用化されているが、バイオリンのサーバーに比べ目立ち過ぎ、視覚的に馴染まない異物感がある。等それぞれ不満があげられる。  
【特許文献１】特開２００３−２３３３７０
【特許文献２】特開２９９４−２９５０５４
【特許文献３】特開平１１−２４９６４７
【特許文献４】特開２００４−１９８７３９
【特許文献５】特開２００１−０３４２６３
【特許文献６】ＷＯ２００１／０８０２１８
【発明の開示】
【発明が解決しようとする課題】
【０００６】
解決しようとする問題点は、演奏する時、両手でそれぞれが、楽器の保持をしながら、同時に演奏に関るため、楽器が不安定となり、演奏が意のままにならない等、運指上において障害となる、楽器の安定確保が出来ない点である。
【課題を解決するための手段】
【０００７】
本発明は、手を使わずに演奏する楽器を保持し、両手の意図した運指や演奏専念を可能とするため、吊り受口付複数の軟質吸盤を搭載した透明樹脂性肉厚シートを扇形状ベース（基盤）に組成。重複吸盤吸引力によって楽器に吸着合体するベース（基盤）に、吊り口接続端子を持つネックループタイ式の吊り上げ紐を連結し、吸着合体した楽器を首からループで牽引、吊り上げて、体側の演奏適宜の位置に保留せしめ、拠って、両手が完全に解放され、演奏に専念できることを最も主要な特徴とする。
【発明の効果】
【０００８】
本発明の楽器保持補助具は、両手が解放され演奏に専念できる最大の利点の他、疲労感が著しく改善、軽減され、その効果は子供や初心者ほど顕著である。透明無色の軟質吸盤使用と独自扇型ベース（基盤）の外縁周ヒレのプロテクター効果（ループと楽器のかど縁との擦れ損傷防止用）等により、１・楽器の接触、こすれ、による損傷や、痕跡残置の恐れないこと。着脱簡易でコンパクトな造りから、２・携行容易、目立たず、抵抗感がないこと。３・複数の軟質吸盤仕様で脱落予防し楽器の安定保持を確保したこと。４・楽器に全く加工、変形せずに現状のままで課題の保持目的を達成。５・保持という労務から開放され演奏が楽しめ、習得し易くする等、多くの利点がある。
【発明を実施するための最良の形態】
【０００９】
楽器の演奏の為の両手の解放と、現状の楽器のままで、手を使わずに、安定した楽器保持し、演奏に専念するという目的を、複数の軟質吸盤を扇形に集約、ブロックベース化して、吸引確実性を強化し、ネックループタイによる吸着合体物掲揚を可能とし、楽器とそのイメージを損なわずに、安定保持を実現した。
【実施例１】
【００１０】
図２は、本発明の実施例の見取り図である。本体の吸盤搭載扇型ベース（基盤）を、ギター裏面の鏡面部（肩円縁周辺部位）に添付圧着して吸着固定し、予め、首に装着してあるネックループタイの吊り具に連結し、ギターを引揚げ、体側前面に収容する。両手は即、演奏に専念でき、自由な姿勢が可能で、無駄なエネルギーロスが無い。
【００１１】
本発明の機能を仕様が吸盤３個のタイプに基づき説明する。
１、ネックループタイの吊り具を４に接続する。
２、ネックループタイの吊り具を５に接続する。
３、ネックループタイの吊り具を５のＣ型吊口を通して、４のＯ型吊口に接続する。効果は、１、は首両端と、吸盤の３点支持となり、重心が左に寄り楽器が立ち上がり、２、は重心が右に寄り楽器が横になり、それぞれ吸盤を支点として楽器が浮動廻旋し、保持者のスエー（体の揺らぎ）にフイット（順応）する利点があり、３、は吸盤４、５と首両端の４点支持となり、その姿勢を安定持続する効果が生まれる。意図的に、ベースを右側、或いは左側の位置に寄せて張付け調整する操作ができる。
【００１２】
ギターの保持姿勢は演奏者によって違いがあり、左上がりの斜めを中心に、それぞれ、好みにより傾斜角度の差異がみられる。エレキや、フオークギターの演奏スタイルは、殆ど横位置が主流である。然し、巨匠と言われたギター演奏家達は、縦位置に近い、いわば、上半身に平行に、左肩に寄せてギターを抱えて演奏している。この違いは、前者が、和音コード主体の伴奏が主目的であるのに対し、後者は、ソロ演奏運指上、フレットの指板（ネック、棹）が左手の可動範囲内にある事、即ち、手首を返して押さえる６弦の１フレットから、１２フレット迄が容易自由に、指運びのできる、手の届く位置にある事が求められるからである。本発明は、ネック基部の洋梨形ボデイの肩を中心にリフトされるので、体の前面に、丁度この位置に定着することが出来る。体勢はリラックスした姿勢で自由に演奏でき、脚は組んでも組まなくとも、足台は有っても無くても可。極端に、あぐらでも、寄り掛っても演奏に専念できるギターの保持が可能である。
【産業上の利用可能性】
【００１３】
軟質吸盤複数をブロック化して吸引力集約強化が図られたので、鏡面部があれば何でも吸着牽引リフトが可能であり、他の器物や楽器等の利用可能である。また、鏡面部の無い場合は、一部分に粘着式鏡面シートの貼り付け補充策による利用用途もある。
【図面の簡単な説明】
【００１４】
【図１】本発明の構成部材の説明図である。（手動着脱式吊り上げ紐部と吸盤と吸盤一体型基盤本体）
【図２】実施方法を示した説明図である。
【符号の説明】
【００１５】
１吊り上げループ紐
２ループ紐の長さ調整留め具
３吊上げ接続金具
４Ｏ型口金具付軟質塩ビ吸盤
５Ｃ型口金具付軟質塩ビ吸盤
６軟質塩ビ吸盤大型 
７吸盤搭載軟質肉厚塩化ビニル製扇形状成型ベース（基盤）
【図１】
2006308837.tif 000003
【図２】
2006308837.tif 000004